【事件の表示】
　特許第３２５４３１１号「涙液検査キット」の請求項１に係る特許に対する特許異議の申立てについて、次のとおり決定する。
【結　論】
　訂正を認める。
　本件特許異議の申立てを却下する。
【理　由】
１．手続の経緯
　本件特許第３２５４３１１号の請求項１ないし１５に係る発明についての出願は、平成５年８月３０日に特許出願され、平成１３年１１月２２日にその発明について特許の設定登録がなされ、その後、昭和薬品化工株式会社より特許異議の申立てがなされ、取消理由通知がなされ、その指定期間内である平成１５年１月２０日に訂正請求がなされたものである。
　
２．訂正の適否について
イ．訂正の内容
（ａ）訂正前の請求項１を削除し、
（ｂ）以下項番号を繰り上げて、訂正前の請求項２から１５を請求項１から１４に訂正すると共に、
（ｃ）それに伴い、それぞれ従属請求項である
（ｉ）訂正前の請求項３から５（訂正後の請求項２から４）の「請求項２記載の」をいずれも「請求項１の」と訂正し、
（ii）訂正前の請求項７から９（訂正後の請求項６から８）の「請求項６記載の」をいずれも「請求項５記載の」と訂正し、
（iii）訂正前の請求項１１（訂正後の請求項１０）の「請求項１０記載の」を「請求項９記載の」と訂正し、
（iv）訂正前の請求項１３から１５（訂正後の請求項１２から１４）の「請求項１２記載の」をいずれも「請求項１１記載の」と訂正する。
　
ロ．訂正の目的の適否、新規事項の有無及び拡張・変更の存否
　上記訂正は、特許請求の範囲の減縮に該当し、新規事項の追加には該当せず、実質的に特許請求の範囲を拡張し、又は変更するものではない。
　
ハ．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３号の規定に適合するので、当該訂正を認める。
　
３．特許異議の申立てについての判断
　請求項１に係る発明は、上記訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項において準用する同法第１３５条の規定によって却下すべきものである。
　よって、結論のとおり決定する。
【異議決定日】
平成１５年１月３１日（２００３．１．３１）
【訂正の要旨】
訂正事項
　特許第３２５４３１１号発明の明細書中の特許請求の範囲の請求項１から１５において、特許請求の範囲の減縮を目的として、もとの請求項１を削除し、以下項数を繰り上げてもとの請求項２から１５を請求項１から１４と訂正する（下記の請求項対応表参照）。
　これに伴い、従属請求項であるもとの請求項３から５（訂正後の請求項２から４）の「請求項２記載の」をいずれも「請求項１記載の」と訂正し、もとの請求項７から９（訂正後の請求項６から８）の「請求項６記載の」をいずれも「請求項５記載の」と訂正し、もとの請求項１１（訂正後の請求項１０）の「請求項１０記載の」を「請求項９記載の」と訂正し、もとの請求項１３から１５（訂正後の請求項１２から１４）の「請求項１２記載の」をいずれも「請求項１１記載の」と訂正する。
（５４）【発明の名称】
涙液検査キット
（５７）【特許請求の範囲】
　【請求項１】　一定間隔で目盛り（１０）を入れ、薄いシート状台（６）に固定した綿糸（１）および標準色見本（１１）をシート（４）上にセットし、綿糸（１）部分のみまたは一体に滅菌シールした涙液検査キット。
　【請求項２】　標準色見本（１１）がシート（４）に印刷してある請求項
１
　【請求項３】　標準色見本（１１）がシート（４）に固着してある請求項
１
　【請求項４】　標準色見本（１１）がシート（４）に脱着可能なようにセットしてある請求項
１
　【請求項５】　一定間隔で目盛り（１０）を入れたシート（４）上に、薄いシート状台（６）に固定した綿糸（２）および標準色見本（１１）をセットし、綿糸（２）部分のみまたは一体に滅菌シールした涙液検査キット。
　【請求項６】　標準色見本（１１）がシート（４）に印刷してある請求項
５
　【請求項７】　標準色見本（１１）がシート（４）に固着してある請求項
５
　【請求項８】　標準色見本（１１）がシート（４）に脱着可能なようにセットしてある請求項
５
　【請求項９】　一定間隔で目盛り（１０）を入れたシート（４）上に、薄いシート状台（６）に固定した綿糸（２）および標準色見本（１１）を平行にセットし、綿糸（２）部分は動かないように固定し、標準色見本（１１）は移動可能にし、少なくとも綿糸（２）部分は滅菌シールしてある涙液検査キット。
　【請求項１０】　綿糸（２）の一部を露出できる様、シール部分のみまたはシールとシールの上部に破断箇所を設けてある請求項
９
　【請求項１１】　一方向に標準色見本（１１）を帯状に配し、それと垂直方向に一定間隔で目盛り（１０）を入れたシート（１８，２３）と、滅菌シールした綿糸（２）とをセットした涙液検査キット。
　【請求項１２】　一方向に標準色見本（１１）を帯状に配し、それと垂直方向に一定間隔で目盛りを入れたシート（１８，２３）を台紙とし、該台紙上に滅菌シールした綿糸（２）を固定した請求項
１１
　【請求項１３】　一方向に標準色見本（１１）を帯状に配し、それと垂直方向に一定間隔で目盛り（１０）を入れたシート（１８，２３）を折り畳み、または扇形状に展開可能な形にし、滅菌シールした綿糸（２）とセットした請求項
１１
　【請求項１４】　一方向に標準色見本（１１）を帯状に配し、それと垂直方向に一定間隔で目盛り（１０）を入れたシート（１８，２３）を、さらに標準色見本（１１）を２区分に、目盛り（１０）部分を２区分に分け、全体として４区分に別れるように識別標識（２４）を付した請求項
１１
【発明の詳細な説明】
　【０００１】
　【産業上の利用分野】
　本発明は、ドライアイの診断に有用な涙液検査キットを提供するものである。
　【０００２】
　【従来の技術】
　ドライアイ（眼乾燥症）は、涙液の質的量的異常により、角結膜に障害がおこる疾患であり、代表的なものとして涙液分泌減少症がある。まず量的な問題であるが、涙液量を測定する方法として濾紙片を下眼瞼に係止させ、涙液の浸透長を測定するシルマー法が以前から用いられている。涙液量を測定する方法は、コンタクトレンズの装着適合性を調べるためにも研究されており、シルマー法に対す改良が報告されている。すなわち、シルマー法は濾紙片を下眼瞼に接触させて行うため、痛みを伴うので濾紙片の代わりに綿糸を用いる方法である（臨床眼科３２巻１１０１頁（１９７８）、特公昭６１−５１８８９号公報、特公昭６２−２５２４号公報）。この方法は、綿糸をｐＨ指示薬等により染色しておき、涙液の浸透により変色した長さを測定し、涙液量を測定する方法である。しかし、ドライアイの診断には、単に涙液の量的な計測だけでなく、質的な点も考慮する必要がある。この質的な問題に関し、涙液のクリアランステスト法が報告されている（臨床眼科４５巻１１４３頁（１９９１）、日本の眼科６２巻４８１頁（１９９１）他）。この方法は、フルオレセイン溶液を点眼し、一定時間後フルオレセインの希釈率を求める方法である。希釈率を求めるため、濾紙片（シルマー試験紙）を下眼瞼に係止する方法が示されているが、涙液が浸透した部分の色調を標準色に染色したもの（希釈率を変え染色）と比較することによって希釈率が求められるものである。この方法の特徴は、涙液の浸透長も同時に測定できるため、涙液の質的および量的異常を同時に観察できるところにあり、ドライアイの診断に有用なものである。
　【０００３】
　【発明が解決しようとする課題】
　上記診断において、シルマー試験紙を用いる場合痛みを伴うため点眼麻酔をする必要がある。また、シルマー試験紙を下眼瞼に接触させる刺激で涙液の分泌が増加する虞もある。そこで、シルマー試験紙の代わりに綿糸を使用する方法を着想した。しかし、医療の現場では迅速にかつ正確に測定する必要があり、簡便なキットの開発が望まれる。また、綿糸は紙と異なって、細くて曲がりやすいため、製造上の工夫をする必要がある。
　【０００４】
　【課題を解決するための手段】
　そこで、まず綿糸と涙液の浸透長を測定するためのスケールを併存させる方法を着想した。併存させる方法としては、綿糸に直接一定間隔で目盛りをつける方法と、目盛りを印刷したシートに綿糸をセットしておく方法とがあるが、どちらを選択してもよい。しかしながら、この綿糸は直接目に接触するため、滅菌する必要がある。本発明は、この医療現場での手間を省き、最初から綿糸を滅菌シールしたキットを提供するものである。このキットにおいて、シートに目盛りをつけたような場合、綿糸部分のみを滅菌シールしても、綿糸と目盛りをつけたシートを一体に滅菌シールしてもよい。
　【０００５】
　次に、希釈率も同時に測定可能とするため、希釈率に合わせた標準色見本も同時にセットしておく方法である。標準色見本は、シートに直接印刷またはシートに貼付固着してもよく、また脱着可能にしてあってもよい。滅菌シールの仕方については前記と同様である。
　【０００６】
　もう一つの方法として、クリアランスを測定するための標準色見本の上に涙液の浸透長を測定するためのスケールを印刷する方法がある。すなわち、一方向んフルオレセインの希釈率に合わせた標準色見本を帯状に印刷し、それと垂直方向に浸透長を測定するための目盛りを線状に印刷したシートを用いる方法である。このシートは一枚のシートになっていてもよく、また短冊状になっていてもよい。一枚のシートの場合には、シートを折り畳んで綿糸とセットする方法と、シートそのものを台紙として用いる方法とがある。さらに、後述するように涙液の量と涙液のクリアランスの関係が一目で分かるように区分されていてもよい。短冊状にする場合には、扇状に展開できる様一端を固定しておくのが好ましい。
　【０００７】
　上記に説明した涙液検査キットは使用時に滅菌シールをはがして、綿糸を取り出し使用するものである。
　【０００８】
　もう一つの手段は、綿糸を取り出さずにシートに固定したまま使用する方法である。すなわち、綿糸、目盛りおよび標準色見本を一枚のシート上にセットし、使用時に綿糸上部を露出させる方法である。より詳しく説明すれば、目盛りを印刷したシートに綿糸および標準色見本を平行にセットし、標準色見本は綿糸の着色度合と正確に比較できる様、綿糸の着色部分まで移動可能にセットしてあり、全体を一体に滅菌するか、または綿糸部分のみを滅菌シールして作成される。尚、目盛りは綿糸に直接付けてあってもよい。
　【０００９】
　ところで、綿糸は細くて曲がりやすいため、シートの上にセットし滅菌シールするのは容易ではない。そこで、綿糸をシート状の台に固定したものを用いると容易に製造し得ることを見出した。すなわち、長いシートを台にして綿糸を巻き取りながらシールするか、または長いシートに溝を設け綿糸が動かないようにして巻き取った後、所定の長さに切断する方法である。
　【００１０】
　本発明において使用されるシートの材質としては、紙、アルミニウム、プラスチック等軽量で、耐久性があり湿気を通さないものが望ましいが、特に限定されるものでははい。滅菌シールのシール材としては、プラスチック膜、アルミニウム箔等が使用できるが、内部が見通せるよう透明なものが望ましい。滅菌シールは、製品を無菌室内で製造しシールすることによって容易に達成される。涙液量を測定する目盛りは、公知のシルマー試験紙に準じて付ければよく、長さを正確に計れるよう付されておればよい。標準色見本とは、臨床眼科４５巻１１４３頁（１９９１）に紹介されているように、フルオレセインの希釈率に応じて、等倍、２倍、４倍・・・の様に染めたものを示し、シートに印刷しない場合には、別途、紙、プラスチック、綿糸等を所定の色調に染めて用いる。尚、標準色見本は、所定の色調に染めた短い見本をつなぎ合わせることによっても作成することができる。標準色見本を移動させる場合には、見本がスライドできるように作成するのが望ましいが、見本をはがし着色した綿糸と比較できるように作成することも出来る。綿糸を固定した涙液検査キットの場合、使用時に綿糸の上部を露出できるようシールに破断箇所をあらかじめ設けておくのが好ましい。シールを破るとき、シートも同時に綿糸の露出部分まで破断出来るように設計してあるのが好ましいが、シートを綿糸の露出部分に合わせて折り曲げるようにしてあってもよい。尚、このような涙液検査キットは若干重みがあるため、下眼瞼にそのまま係止させるのは難しいが、テープ等で簡単に固定できる。本発明キットを使用する際、綿糸の先端部を下眼瞼に係止しやすいよう、あらかじめ適当な角度に曲げてあってもよく、また使用時にピンセット等で曲げて使用してもよい。綿糸の種類としては、均一で涙液の浸透にバラツキのないものが好ましいが、公知の綿糸（特公昭６２−２５２４号公報、日本医事新報２９９９号１４２頁（１９８１）他）を使用することも出来る。
　【００１１】
　尚、本発明において綿糸を取り出し使用する場合には、綿糸を同一の涙液検査キット内に複数本セットしてもよい。
　【００１２】
　本発明による涙液検査キットを用いたドライアイの診断方法について以下に簡単に説明する。
　涙液においては、固体差によるバラツキはあるが、涙液の質としてはフルオレセインの希釈率を一定の値、例えば、４乃至８倍以上であるときを正常の目安とし、涙液の量としては浸透長を一定の値、例えば、約２０ｍｍ以上の場合を正常の目安とすることができる。正常値の目安は、無論、経験等により定められるもので、上記の例に限定されるものではないが、双方の目安を下回る場合には、ドライアイ症状と判断することができ、一方の目安を下回る場合には、要注意症状と判断することができる。
　そこで、浸透長を測定する目盛りと、標準色見本を希釈率に合わせて一枚のシートに印刷する場合において、浸透長と希釈率との正常値の目安を示すようにしてあると好便である。
　【００１３】
　【発明の効果】
　本発明は、ドライアイの診断において、涙液の量およびクリアランスを同時に迅速かつ正確に測定できる涙液検査キットを提供できるものである。
　【００１４】
　【実施例】
〔第１実施例〕
　図１（イ），（ロ）は、涙液浸透材としての綿糸１に浸透した涙液の色に基づいて、点眼したフルオレセインなどの色素の涙液による希釈率を定め、綿糸１に浸透した涙液の浸透長に基づいて、涙液の分泌量を定め、前記希釈率と前記分泌量とに基づいてドライアイ症状を判定する為に使用される涙液検査キットとしての滅菌シールパックＨを示し、涙液を含浸させる綿糸１の包装体３を、防湿性を備えた樹脂フィルム層が設けられているシートとしての台紙４と防湿性を備えた透明樹脂製の被覆フィルム５との間に密封して滅菌シールしてあり、台紙４の樹脂フィルム層と被覆フィルム５とを、図１（イ）中のハッチングで示す範囲Ｄに亘って熱融着して包装体３が密封され、一端部に台紙４の樹脂フィルム層と被覆フィルム５とを融着していない部分Ｅを設けて、台紙４と被覆フィルム５とを剥がし易くしてある。
　前記包装体３は、図２（イ），（ロ）に示すように、表面にアルミ薄膜層を設けてある薄いシート状台としてのラミネート紙６のアルミ薄膜層側に綿糸１を載せて、透明の樹脂フィルム７を被せるとともに、ラミネート紙６と樹脂フィルム７とを、図中のハッチングで示す範囲Ｆに亘って接着して、当該綿糸１を包装してあり、ラミネート紙６と樹脂フィルム７とを一端部から剥がし易いよう、ラミネート紙６と樹脂フィルム７とが接着されていない部分Ｇを設けてある。
　前記綿糸１は、図３で模式的に示すように、白色の太糸８と、この太糸８とは異なる色である黒色の細糸９とを一定の撚り数で撚り合わせて構成され、この黒色の細糸９を外周側に配置して一定のピッチＰで螺旋状に撚り合わせることにより、長手方向に沿って一定間隔（実施例では５ｍｍ程度）の目盛り１０が設けられている。
　そして、台紙４と被覆フィルム５とを剥がして包装体３を取り出し、更に、ラミネート紙６と樹脂フィルム７とを剥がして包装体３から綿糸１を取り出して、予めフルオレセイン溶液を点眼してある被検査者の下眼瞼に所定の一定時間の間係止しておくと、涙液の質に応じた色調で、かつ、涙液の量に応じた長さで綿糸１が染色され、綿糸１の染色された部分の長さを当該綿糸１に設けた目盛り１０から読み取ることで涙液量を測定し、綿糸１が染色された色を別途設けた標準色見本と比較してドライアイ症状を判定することができる。
　【００１５】
〔第２実施例〕
　図４は、綿糸１の包装体３を密封している台紙４に、標準色見本１１が印刷されている涙液検査キットとしての滅菌シールパックＨを示し、この標準色見本１１は、フルオレセインが、等倍、２倍、４倍、８倍、１６倍、３２倍、６４倍、１２８倍および２５６倍に希釈された各状態での色調の見本色１７を順に印刷してある。
　その他の構成は第１実施例と同様である。
　【００１６】
〔第３実施例〕
　図５は、涙液浸透材としての目盛りが設けられていない綿糸２の包装体３を、台紙４と被覆フィルム５との間に密封して滅菌シールしてある涙液検査キットとしての滅菌シールパックＨを示し、台紙４に、一定間隔（５ｍｍ）の目盛り１０と、標準見本色１１とを印刷してある。
　本実施例の場合、綿糸２の染色された部分の長さを台紙４に印刷してある目盛り１０から読み取ることで涙液量を測定し、綿糸２が染色された色を台紙４に印刷してある標準色見本１１と比較してドライアイ症状を判定することができる。その他の構成は第２実施例と同様である。
　【００１７】
〔第４実施例〕
　図６は、目盛りが設けられていない綿糸２を、台紙４と被覆フィルム５との間に密封して滅菌シールしてある涙液検査キットとしての滅菌シールパックＨを示し、綿糸２の両端は、台紙４と被覆フィルム５との熱融着で固定されているとともに、台紙４の被覆フィルム５が熱融着される部分に一定間隔（５ｍｍ）の目盛り１０が印刷され、標準色見本１１を短冊状の硬質紙に印刷してある判定用シート１２が台紙４と被覆フィルム５との間に入れてある。
　この涙液検査キットによる検査方法を説明すると、まず、台紙４と被覆フィルム５とを綿糸２ごと第１切り取り線１３に沿ってはさみで切り取り、更に、台紙４と被覆フィルム５とを第２切り取り線１４まで引き剥がして、この剥がした部分の台紙４と被覆フィルム５とをはさみで切り取って、綿糸２の一端部と判定用シート１２の掴み代部分１５とを露出させる。
　次に、図７に示すように、綿糸２及び判定用シート１２を台紙４と被覆フィルム５との間から引き出さずに、綿糸２の一端部をそのまま被検査者の下眼瞼に係止し、台紙側を粘着テープ１６等で被検査者の頬等に固定して使用する。
　そして、綿糸２の染色された部分の長さを台紙４に印刷してある目盛り１０から読み取ることで涙液量を測定し、綿糸２が染色された色を、判定用シート１２に印刷してある標準色見本１１と比較してドライアイ症状を判定することができる。
　特に、本実施例の場合、台紙４とは別の短冊状の硬質紙に標準色見本１１を印刷して作成した判定用シート１２を、台紙４と被覆フィルム５との間に入り込ませた状態でその長さ方向に押し引き移動可能に設けてあるから、涙液量が少ない場合、つまり、綿糸２の染色された範囲が短い場合、判定用シート１２の掴み代部分１５を掴んで、当該判定用シート１２を長手方向に押し引き移動させることで、その染色された色と種々の見本色１７とを近い位置で対比させて、確実に判定することができる。
　【００１８】
　尚、第２切り取り線１４まで引き剥がした台紙４と被覆フィルム５とを切り取らずに、第２切り取り線１４に沿って折り曲げたままで使用しても良い。
　その他の構成は第３実施例と同様である。
　【００１９】
〔第５実施例〕
　図８は、フルオレセインが、等倍、２倍、４倍、８倍、１６倍、３２倍、６４倍、１２８倍及び２５６倍に希釈された各状態での色調の見本色１７を上下に配置して横長に印刷してある標準色見本１１が設けられている判定用シート１８を示し、この判定用シート１８には、これらの見本色１７を上下方向に横断する状態で左右方向に一定間隔（実施例では５ｍｍ）を隔てて目盛り１０が印刷されている。
　そして、目盛りが設けられていない綿糸２の包装体３を、台紙４と被覆フィルム５との間に密封して滅菌シールした滅菌シールパックＨを、図９に示すように、この判定用シート１８の外枠部１９に軽く接着固定して、涙液検査キットを構成してある。
　尚、滅菌シールパックＨの構造は、目盛りが設けられていない綿糸２が包装体３に包装されていることを除いて、第１実施例で示したと同様である。
　本実施例で示した涙液検査キットの使用方法を説明する。
　滅菌シールパックＨを判定用シート１８から外し、第１実施例で示したと同様の手順で綿糸２を取り出して、被検査者の下眼瞼に所定の一定時間の間係止すると、涙液の質に応じた色調で、かつ、涙液の量に応じた長さで綿糸２が染色され、染色された綿糸２を緊張させて、染色された部分の一端部を涙液量がゼロであることを示す目盛り１０に沿わせて移動させながら、綿糸２に染色された色を判定用シート１８に印刷した標準色見本１１の見本色１７と比較し、同時に、綿糸２の染色された部分の長さを判定用シート１８に印刷した目盛り１０で読み取って涙液量を測定し、ドライアイ症状を判定する。
　【００２０】
〔第６実施例〕
　図１０は、一つの見本色１７毎に、その見本色１７と目盛り１０とを短冊状の硬質紙２０に印刷し、これらの硬質紙２０を鳩目金具２１で相対揺動自在に止め付けてある判定用セット２２を示し、これらの硬質紙２０を扇形状に展開して、綿糸２が染色された色とこれらの硬質紙２０の見本色１７とを比較し、同時に、綿糸２の染色された部分の長さを硬質紙２０に印刷してある目盛り１０で読み取って涙液量を測定し、ドライアイ症状を判定できるようにしてある。
　そして、図１１に示すように、第３実施例で示したと同様の目盛りが設けられていない綿糸２の包装体３を、台紙４と被覆フィルム５との間に密封して滅菌シールするとともに、判定用セット２２を引き出し易いよう、その一端側を台紙４と被覆フィルム５とを融着していない部分Ｅに突出させる状態で、台紙４と被覆フィルム５との間に保持させて、涙液検査キットとしての滅菌シールパックＨを構成してある。
　その他の構成は第１実施例と同様である。
　【００２１】
〔第７実施例〕
　図１２は、涙液量とクリアランスとの関係からドライアイ症状を簡便に判定できる判定図表Ｊが印刷されている判定用シート２３を示し、涙液浸透材としての綿糸２に浸透した涙液の色に基づいて定められたフルオレセインの涙液による希釈率と、綿糸２に浸透した涙液の浸透長に基づいて定められた涙液の分泌量とをパラメーターとする図表を識別標識としての線分２４で区画して、ドライアイ症状の程度を判定可能な複数の領域Ａ，Ｂ，Ｃに分けてあり、第５実施例で示したと同様に、標準色見本１１と目盛り１０とが印刷され、更に、正常と判定できる正常ゾーンＡと、異常と判定できる異常ゾーンＢと、要注意と判定できる要注意ゾーンＣとに区画してある。
　前記正常ゾーンＡは、概ね、綿糸２に染色された色が８倍以上に希釈され、かつ、綿糸２の染色された部分の長さが２０ｍｍ以上である範囲を示しており、異常ゾーンＢは、概ね、綿糸２に染色された色が４倍以下に希釈され、かつ、綿糸２の染色された部分の長さが２０ｍｍ以下である範囲を示しており、正常ゾーンＡにも異常ゾーンＢにも含まれない範囲を要注意ゾーンＣとしてある。
　そして、第５実施例と同様に、目盛りが設けられていない綿糸２の包装体３を、台紙４と被覆フィルム５との間に密封して滅菌シールした滅菌シールパックＨを、この判定用シート２３の外枠部１９に軽く接着固定して、涙液検査キットが構成される。
　従って、染色された綿糸２を緊張させて、染色された部分の一端部を涙液量がゼロであることを示す目盛り１０に沿わせて移動させながら、綿糸２に染色された色を判定用シート２３に印刷した標準色見本１１の見本色１７と比較し、同時に、綿糸２の染色された部分の長さを判定用シート２３に印刷した目盛り１０で読み取って涙液量を測定してドライアイ症状を判定できることはもとより、染色された部分の他端部がいずれのゾーンＡ，Ｂ，Ｃに位置しているかを見ることによって、そのドライアイ症状を直ちに判定することもできる。
　【００２２】
〔その他の実施例〕
１．涙液浸透材としては、涙液を浸透可能な糸の他、濾紙等の板状のものであっても良い。
２．涙液浸透材として使用する糸は、綿糸等の天然繊維を材料とする糸の他、合成繊維を材料とする糸であっても良い。
３．涙液浸透材に浸透した涙液の色に基づいて、点眼した色素の涙液による希釈率を定め、前記涙液浸透材に浸透した涙液の浸透長に基づいて、涙液の分泌量を定め、前記希釈率と前記分泌量とに基づいてドライアイ症状を判定する為のドライアイ症状判定具としては、前記希釈率と前記分泌量とをパラメーターとする図表が、前記ドライアイ症状の程度を判定可能な２つ或いは４つ以上の領域に区分されているものであっても良い。
４．涙液の質を診断するために点眼される色素は、フルオレセインに限定されるものでなく、眼検査に用いることができ、かつ、涙液による希釈率を明確に判別できる色素であれば良い。
５．涙液の浸透長を計測するための目盛りは一定間隔で設けらているものに限定されず、例えば、症状を判定しやすいよう、正常な範囲と異常な範囲と要注意の範囲とに分ける状態で、異なる間隔で設けられていても良い。
６．涙液の浸透長を計測するための目盛りは、涙液浸透材に印刷してあっても良い。
７．第６実施例で示した判定用セット２２に代え、第５実施例或いは第７実施例で示した判定用シート１８，２３を折り畳んで台紙４と被覆フィルム５との間に保持させて実施しても良い。
８．第７実施例で示した判定図表Ｊを滅菌シールパックＨに印刷して実施しても良い。
　【００２３】
　尚、特許請求の範囲の項に図面との対照を便利にするために符号を記すが、該記入により本発明は添付図面の構成に限定されるものではない。
【図面の簡単な説明】
　【図１】
（イ）は涙液検査キットの平面図、（ロ）は涙液検査キットの要部断面図
　【図２】
（イ）は包装体の平面図、（ロ）は包装体の要部断面図
　【図３】
目盛りを設けた綿糸を模式的に示す斜視図
　【図４】
第２実施例を示す平面図
　【図５】
第３実施例を示す平面図
　【図６】
第４実施例を示す平面図
　【図７】
使用方法の説明図
　【図８】
第５実施例を示す要部の平面図
　【図９】
第５実施例を示す平面図
　【図１０】
第６実施例を示す要部の平面図
　【図１１】
第６実施例を示す平面図
　【図１２】
第７実施例を示す要部の平面図
　【符号の説明】
　１　　綿糸
　２　　綿糸
　４　　シート
　６　　シート状台
　１０　目盛り
　１１　標準色見本
　１８　シート
　２３　シート
　２４　識別標識